(57)【特許請求の範囲】
【請求項１】
筐体、スピーカ、およびコネクタを備えるオーディオコンポーネントであって、
前記筐体は、容器および前記容器に接続される接続孔を有し、前記スピーカと前記コネクタとの両方は前記容器に収容され、前記コネクタのプラグポートが、前記接続孔を用いて前記筐体の外部に接続され、前記スピーカと前記プラグポートとの間に接続される導音チャネルが前記容器に形成され、前記導音チャネルは、前記スピーカにより放出される音声を前記プラグポートに伝搬するように構成され、
前記筐体は、共に結合される第１の筐体部と第２の筐体部とを有し、前記容器は前記第１の筐体部と前記第２の筐体部との間に形成され、
当接突出部が、前記容器と向き合う前記第２の筐体部の内側側面に配置され、前記スピーカが、前記容器と向き合う前記第１の筐体部の内側側面と前記当接突出部との間に位置付けられ、前記導音チャネルの第１の部分であって、前記スピーカと前記第２の筐体部の前記内側側面との間の第１の部分を形成し、
制限突出部が、前記第１の筐体部の前記内側側面に配置され、配置スペースが前記制限突出部により囲まれ、前記当接突出部から離れている前記スピーカの端部が、前記配置スペースに位置付けられる、
オーディオコンポーネント。
【請求項２】
前記コネクタはシールド筐体を有し、前記プラグポートは前記シールド筐体に形成され、貫通孔が前記シールド筐体に配置され、前記貫通孔は、前記導音チャネルと前記プラグポートとを接続するように構成される、請求項１に記載のオーディオコンポーネント。
【請求項３】
前記シールド筐体の一端が、前記接続孔から前記筐体の外へ突出し、前記シールド筐体の外側壁が、前記接続孔の孔壁と協働する、請求項２に記載のオーディオコンポーネント。
【請求項４】
前記オーディオコンポーネントは更に回路基板を備え、前記コネクタは前記回路基板に載置され、前記回路基板は前記容器に収容され、前記第２の筐体部に固定され、前記回路基板と前記スピーカとは交互に配置され、前記導音チャネルの第２の部分であって、前記回路基板と前記スピーカとの間の第２の部分を形成する、
請求項１から３のいずれか一項に記載のオーディオコンポーネント。
【請求項５】
前記第１の筐体部の前記内側側面と前記回路基板とは交互に配置され、前記第１の筐体部の前記内側側面と前記コネクタとは交互に配置され、前記導音チャネルの第３の部分であって、前記第１の筐体部の前記内側側面と、前記回路基板および前記コネクタを含む側との間の第３の部分を形成する、
請求項４に記載のオーディオコンポーネント。
【請求項６】
凹形の誘導トラフが前記第１の筐体部の前記内側側面に配置され、前記誘導トラフは前記導音チャネルの前記第３の部分に接続される、
請求項５に記載のオーディオコンポーネント。
【請求項７】
前記誘導トラフは、前記導音チャネルの前記第２の部分と前記コネクタのシールド筐体に配置される貫通孔との間に接続され、前記第１の筐体部の前記内側側面における前記貫通孔の孔壁の正投影は、前記誘導トラフに含まれる、
請求項６に記載のオーディオコンポーネント。
【請求項８】
前記コネクタはＵＳＢコネクタである、請求項１から７のいずれか一項に記載のオーディオコンポーネント。
【請求項９】
筐体、スピーカ、およびコネクタを備えるオーディオコンポーネントであって、
前記筐体は、容器および前記容器に接続される接続孔を有し、前記スピーカと前記コネクタとの両方は前記容器に収容され、前記コネクタのプラグポートが、前記接続孔を用いて前記筐体の外部に接続され、前記スピーカと前記プラグポートとの間に接続される導音チャネルが前記容器に形成され、前記導音チャネルは、前記スピーカにより放出される音声を前記プラグポートに伝搬するように構成され、
前記筐体は、共に結合される第１の筐体部と第２の筐体部とを有し、前記容器は前記第１の筐体部と前記第２の筐体部との間に形成され、
当接突出部が、前記容器と向き合う前記第２の筐体部の内側側面に配置され、前記スピーカが、前記容器と向き合う前記第１の筐体部の内側側面と前記当接突出部との間に位置付けられ、前記導音チャネルの第１の部分であって、前記スピーカと前記第２の筐体部の前記内側側面との間の第１の部分を形成し、
前記オーディオコンポーネントは更に回路基板を備え、前記コネクタは前記回路基板に載置され、前記回路基板は前記容器に収容され、前記第２の筐体部に固定され、前記回路基板と前記スピーカとは交互に配置され、前記導音チャネルの第２の部分であって、前記回路基板と前記スピーカとの間の第２の部分を形成する、
オーディオコンポーネント。
【請求項１０】
ハウジングと、請求項１から９のいずれか一項に記載の前記オーディオコンポーネントとを備えるモバイル端末であって、
前記ハウジングは開口を有し、前記開口は前記ハウジングの内部と外部とに接続され、前記オーディオコンポーネントは前記ハウジングの前記内部に載置され、前記筐体の前記接続孔は前記開口に正確に向き合い、前記プラグポートは、前記開口を用いて前記モバイル端末の外部に接続される、
モバイル端末。
【請求項１１】
前記モバイル端末は更にプラグコンポーネントを備え、前記プラグコンポーネントはシールドスリーブを有し、導音孔が前記シールドスリーブに配置され、
前記プラグコンポーネントが前記コネクタに電気的に接続される場合、前記シールドスリーブの一部は前記プラグポートに挿入され、前記導音孔は前記プラグポートに接続され、前記導音孔の少なくとも一部は、前記ハウジングの前記外部に位置付けられ、前記スピーカにより放出される音声を前記モバイル端末の前記外部に伝搬する、
請求項１０に記載のモバイル端末。
【発明の詳細な説明】
【技術分野】
【０００１】
本願は、電子デバイスの分野、特に、オーディオコンポーネントおよびモバイル端末に関する。
【背景技術】
【０００２】
現在、市場における携帯電話は通常、底部に複数の孔が設けられており、当該複数の孔は、ユニバーサルシリアルバス（Ｕｎｉｖｅｒｓａｌ  Ｓｅｒｉａｌ  Ｂｕｓ，ＵＳＢ）孔、スピーカ孔、ヘッドセット孔およびマイク（Ｍｉｃｒｏｐｈｏｎｅ）孔などを含む。携帯電話の底部には比較的多い数の孔が設けられているので、外部蒸気および粉塵などがこれらの孔を通って携帯電話の内部に入りやすい。その結果、携帯電話の内部のコンポーネントは、故障または損傷が発生し、携帯電話の寿命が減る。
【発明の概要】
【０００３】
本願は、比較的長い寿命を有するオーディオコンポーネントおよびモバイル端末を提供する。
【０００４】
第１態様によると、本願は、オーディオコンポーネントを提供する。オーディオコンポーネントは、モバイル端末に適用されてよい。オーディオコンポーネントは、筐体、スピーカ、およびコネクタを含む。筐体は、容器と、容器に接続される接続孔とを含む。容器は、接続孔を用いて筐体の外部に接続される。スピーカとコネクタとの両方は、容器に収容される。コネクタのプラグポートは、接続孔を用いて筐体の外部に接続される。スピーカとプラグポートとの間に接続される導音チャネルは容器内に形成され、当該導音チャネルは、スピーカにより放出される音声をプラグポートに伝搬するように構成される。
【０００５】
この実装において、オーディオコンポーネントは、接続孔を用いてコネクタと外側との間の接続関係を実装し、接続孔を用いて、スピーカの音声出力も実装する。コネクタは、スピーカと接続孔とを共有し、これによりオーディオコンポーネントの筐体に配置される必要のある孔の数が減り、言い換えれば、オーディオコンポーネントが適用されているモバイル端末のハウジングに配置される必要のある孔が減り、外部蒸気および粉塵などがオーディオコンポーネントおよびモバイル端末の内部に入るリスクを減らし、これによりオーディオコンポーネントおよびモバイル端末には故障または損傷が発生しにくくなる。従って、オーディオコンポーネントおよびモバイル端末は、より高い信頼性および比較的長い寿命を有する。加えて、接続孔に対応する孔がモバイル端末のハウジングに配置され、これによりコネクタの接続要件とスピーカの音声出力要件とが互換性を有し得る。従って、ハウジングの外観に追加の孔を設けることが回避され得て、これによりモバイル端末の外観が簡潔になる。
【０００６】
スピーカとコネクタとの両方が容器に収容されている、言い換えれば、スピーカとコネクタとの両方が筐体の内部に固定されていることが理解され得る。従って、オーディオコンポーネントは統合モジュールに組み立てられ、これによりオーディオコンポーネントはモバイル端末に迅速に組み立てられることで、モバイル端末の組立工程および難易度を減らし得る。
【０００７】
一実装において、コネクタはシールド筐体を含む。プラグポートは、シールド筐体内に形成される。貫通孔がシールド筐体に配置され、当該貫通孔は、導音チャネルとプラグポートとを接続するように構成される。コネクタは更に、絶縁体を含む。絶縁体は、トングと密封端部とを含み、トングの一端は密封端部に固定的に接続される。密封端部は、シールド筐体の第１の端部に固定的に接続され、シールド筐体の第１の端部を密封する。密封端部は、外部蒸気および粉塵などがシールド筐体の第１の端部からオーディオコンポーネントに入ることを防止して、オーディオコンポーネントの信頼性を向上させ得る。トングは、プラグポートに収容される。接続ピン（図示せず）はトングに配置され、接続ピンは外部コンポーネントに電気的に接続するように構成され、外部コンポーネントとコネクタの各々とモバイル端末の内部コンポーネントとの間の電気的な接続を実装する。開口が、シールド筐体の第２の端部であって第１の端部に対向する第２の端部に配置され、これによりプラグポートはシールド筐体の外部に接続され得る。
【０００８】
シールド筐体は、互いに対向する２つの平板部と、当該２つの平板部間に対応して接続される円弧状の接続部とを含む。貫通孔は、平板部のうちの１つに配置される。別の実装において、貫通孔は２つの平板部に代替的に配置され、プラグポートと導音チャネルとの間の接続面積を増加させることで、オーディオコンポーネントの音声出力品質を改善し得る。
【０００９】
一実装において、シールド筐体の一端は、接続孔から筐体の外へ突出し、シールド筐体の外側壁は、接続孔の孔壁と協働する。言い換えれば、シールド筐体の一端は接続孔に挿入され、シールド筐体の一端の一部は筐体の外部に位置付けられ、シールド筐体の他端は容器に収容される。この場合、接続孔の孔壁はシールド筐体を制限する。シールド筐体の端部の一部が筐体の外部に位置付けられているので、外部コンポーネントをプラグポートに挿入するのが便利であり、これによりユーザがオーディオコンポーネントおよびモバイル端末を用いる体験を改善する。加えて、筐体の外へ突出するシールド筐体の一部は、モバイル端末のハウジングの開口と協働し、これによりオーディオコンポーネントはハウジングに固定され得て、プラグポートは開口を用いてハウジングの外部に接続され得る。
【００１０】
一実装において、筐体は、共に結合される第１の筐体部と第２の筐体部とを含み、容器は第１の筐体部と第２の筐体部との間に形成される。第２の筐体部に向き合う第１の筐体部の側は、第１の溝を形成する凹形であり、第１の筐体部に向き合う第２の筐体部の側は、第２の溝を形成する凹形である。第１の筐体部と第２の筐体部とが共に結合される場合、第１の溝と第２の溝とは結合され、共同で容器を形成する。
【００１１】
第１の筐体部および第２の筐体部は、結合、ねじ締めまたは折り曲げなどによって接続されてよい。密封要素は、第１の筐体部と第２の筐体部との間に挟まれ、密封要素は容器を密封するように構成される。密封要素はリング形状であり、密封要素の形状は、第１の筐体部が第２の筐体部に接続される端面の形状に適応する。
【００１２】
筐体は、容器のスピーカを密封し、これによりスピーカの前方と後方のキャビティが短絡になることが防止され、スピーカの性能を十分に発揮し、音声の低周波数と高周波数とを変更し、実際の音声を再現し得る。
【００１３】
第１の筐体部と第２の筐体部との両方は、プラスチック材料を用いて、オーディオコンポーネントの重量を減らす。
【００１４】
一実装において、当接突出部は、容器に向き合う第２の筐体部の内側側面に配置される。スピーカは、容器と向き合う第１の筐体部の内側側面と当接突出部との間に位置付けられ、導音チャネルの第１の部分であって、スピーカと第２の筐体部の内側側面との間の第１の部分を形成する。当接突出部はスピーカに当接するので、スピーカと第２の筐体部の内側側面との間にはスペースが形成され、これにより導音チャネルの第１の部分が構成され得る。スピーカにより放出される音声は、導音チャネルの第１の部分に入る。
【００１５】
当接突出部の中間部はくり抜かれている。この場合、当接突出部は環状形状であり、筐体の重量を減らすことで、オーディオコンポーネントおよびモバイル端末の重量を減らすことに役立つ。
【００１６】
一実装において、制限突出部は第１の筐体部の内側側面に配置され、配置スペースは制限突出部により囲まれ、当接突出部から離れているスピーカの端部は配置スペースに位置付けられる。制限突出部はスピーカを制限し、これによりスピーカは容器に固定されることで、振動により発生する損傷のリスクを回避し得る。
【００１７】
一実装において、オーディオコンポーネントは更に、回路基板を含む。コネクタは、回路基板に載置される。回路基板は、モバイル端末の主基板であってよい。コネクタは、回路基板を用いてモバイル端末のコンポーネントに電気的に接続される。回路基板は容器に収容され、第２の筐体部に固定される。回路基板とスピーカとは交互に配置され、導音チャネルの第２の部分であって、回路基板とスピーカとの間の第２の部分を形成する。導音チャネルの第２の部分は、導音チャネルの第１の部分に接続されている。回路基板とスピーカとは交互に配置され、これによりオーディオコンポーネントの組み立ても容易になり、組立工程においてコンポーネントに損傷を与えることを回避する。
【００１８】
複数の接続ポストが、第２の筐体部の内側側面に凸状に配置される。複数の接続孔が、回路基板に配置される。オーディオコンポーネントは更に、複数の留め具を含む。複数の留め具は、一対一の対応関係にある複数の接続孔を通過し、複数の接続ポストに固定されている。接続孔のうち少なくとも２つは、コネクタの両側面に配置され、コネクタの載置安定性を向上する。
【００１９】
一実装において、第１の筐体部の内側側面と回路基板とは交互に配置され、第１の筐体部の内側側面とコネクタとは交互に配置され、導音チャネルの第３の部分であって、第１の筐体部の内側側面と、回路基板およびコネクタを含む側との間の第３の部分を形成する。導音チャネルの第３の部分は、導音チャネルの第２の部分と貫通孔との間に接続される。スピーカにより放出される音声は、導音チャネルの第１の部分、導音チャネルの第２の部分、導音チャネルの第３の部分、および貫通孔を連続的に通過して、プラグポートに入り、音声出力を実装する。
【００２０】
一実装において、凹形の誘導トラフは、第１の筐体部の内側側面に配置される。誘導トラフは、導音チャネルの第３の部分に接続される。誘導トラフは、第１の筐体部の一部の領域の厚さを減少させ、導音チャネルのスペース容量を増加させるように配置され、これによりスピーカにより放出される音声の伝搬品質がより良くなる。
【００２１】
一実装において、誘導トラフは導音チャネルの第２の部分と貫通孔との間に接続される。第１の筐体部の内側側面における貫通孔の孔壁の正投影は、誘導トラフに含まれる。言い換えれば、誘導トラフは貫通孔をカバーし、誘導トラフは導音チャネルの第３の部分と協働し、これにより音波がより良く貫通孔に誘導され、プラグポートに円滑に入り得る。
【００２２】
ノッチは導音チャネルの第２の部分に向き合う制限突出部の一方の側に配置され、ノッチは音波の伝搬スペースを増加させ、これによりスピーカにより放出される音声の伝搬品質をより良くするように構成されている。ノッチは、誘導トラフと導音チャネルの第３の部分とを接続する。
【００２３】
第２態様によると、本願は、ハウジングと上述のオーディオコンポーネントとを含むモバイル端末を提供する。ハウジングは開口を含み、開口はハウジングの内部と外部とを接続する。オーディオコンポーネントは、ハウジングの内部に載置され、筐体の接続孔は開口と正確に向き合い、プラグポートは、開口を用いてモバイル端末の外部と接続される。本願のこの実装におけるモバイル端末は、通信機能とストレージ機能とを有する任意のデバイス、例えば、タブレットコンピュータ、携帯電話、電子書籍リーダ、遠隔制御装置、パーソナルコンピュータ（Ｐｅｒｓｏｎａｌ  Ｃｏｍｐｕｔｅｒ，ＰＣ）、ノートブックコンピュータ、車載デバイス、ウェブテレビジョンまたはウェアラブルデバイスなどのネットワーク機能を有するインテリジェントデバイスであってよい。
【００２４】
この実装において、接続孔は開口と正確に向き合い、プラグポートは開口を用いてモバイル端末の外部に接続される。従って、モバイル端末は、開口を用いてコネクタと外側との間の接続関係を実装し得て、開口を用いてスピーカの音声出力も実装し得る。コネクタは、スピーカと開口を共有し、これによりハウジングに配置される必要のある孔の数は減り、外部蒸気、および粉塵などがモバイル端末の内部に入るリスクが減り、これによりモバイル端末には故障または損傷が発生しにくくなる。従って、モバイル端末はより高い信頼性と比較的長い寿命とを有する。加えて、接続孔に対応する開口はモバイル端末のハウジングに配置され、これによりコネクタの接続要件とスピーカの音声出力要件とが互換性を有し得る。従って、ハウジングの外観に追加の孔を設けることが回避され得て、これによりモバイル端末の外観が簡潔になる。加えて、ハウジングの孔は減り、これによりハウジングの処理および製造の費用が減り、既存のスピーカ孔におけるストラクチュラルマテリアル（例えば、粉塵フィルタまたは装飾部品）が省略され得る。従って、モバイル端末の全体的な費用が減る。
【００２５】
シールド筐体の一部は開口に位置付けられ、開口の壁面はシールド筐体の外側壁と協働し、シールド筐体を制限し、これにより外部コンポーネントがシールド筐体のプラグポートに挿入されることで、ユーザによるモバイル端末を用いる体験を改善する。
【００２６】
一実装において、モバイル端末は更にプラグコンポーネントを含む。プラグコンポーネントはシールドスリーブを含む。導音孔がシールドスリーブに配置される。プラグコンポーネントがコネクタに電気的に接続される場合、シールドスリーブの一部はプラグポートに挿入され、導音孔はプラグポートに接続され、導音孔の少なくとも一部はハウジングの外部に位置付けられ、スピーカにより放出される音声をモバイル端末の外部に伝搬する。
【００２７】
この実装において、スピーカにより放出される音声は、導音チャネル、接続孔、プラグポート、および導音孔を連続的に通過し、そしてモバイル端末の外部に伝搬され、音声出力を実装する。プラグコンポーネントがコネクタに差し込まれる場合、モバイル端末は充電され得るか、またはデータ送信が実装され得る。従って、プラグコンポーネントがプラグポートに挿入される場合、充電およびデータ送信などの機能はモバイル端末に対して実装され得て、音声出力も導音孔を用いて実装され得る。
【００２８】
プラグコンポーネントがコネクタに適応される少なくとも１つの成分を含むことが理解され得る。例えば、コネクタはユニバーサルシリアルバス（Ｕｎｉｖｅｒｓａｌ  Ｓｅｒｉａｌ  Ｂｕｓ、ＵＳＢ）コネクタの雌型コネクタであり、プラグコンポーネントはユニバーサルシリアルバスコネクタの雄型コネクタを含む。勿論、別の実装において、コネクタは代替的にユニバーサルシリアルバスコネクタの雄型コネクタで、プラグコンポーネントはユニバーサルシリアルバスコネクタの雌型コネクタを含んでよい。コネクタがユニバーサルシリアルバスコネクタである場合、プラグポートはほぼ滑走路型の長い円孔の形状であり、これによりスピーカは比較的大きい音声出力領域を有することで、音声出力品質を保証する。別の実装において、コネクタは代替的に他のタイプの電気コネクタであってよい。
【００２９】
プラグコンポーネントは更に、接続ケーブルを含み、接続ケーブルはプラグコンポーネントの一端においてコネクタに接続されてよい。
【図面の簡単な説明】
【００３０】
【図１】本願の実装に係るモバイル端末の概略構造図である。
【００３１】
【図２】本願の実装に係るオーディオコンポーネントの概略構造図である。
【００３２】
【図３】図２に示されるオーディオコンポーネントの分解図である。
【００３３】
【図４】図２に示されるオーディオコンポーネントの筐体の概略構造図である。
【００３４】
【図５】図２に示されるオーディオコンポーネントが線Ａ−Ａに沿って切断される場合に得られる概略構造図である。
【００３５】
【図６】図３のコネクタの概略構造図である。
【００３６】
【図７】図４に示される筐体の分解図である。
【００３７】
【図８】図２に示されるオーディオコンポーネントの部分構造の概略図である。
【００３８】
【図９】本願の実装に係るモバイル端末の別の実装の部分構造の概略図である。
【発明を実施するための形態】
【００３９】
以下は、本願の実装における添付の図面を参照して、本願の実装を説明する。
【００４０】
図１から図５を合わせて参照すると、本願はオーディオコンポーネント１００を提供する。オーディオコンポーネント１００は、モバイル端末２００に適用され得る。オーディオコンポーネント１００は、筐体１、スピーカ２、およびコネクタ３を含む。筐体１は、容器１０と、容器１０に接続される接続孔１１とを含む。容器１０は、接続孔１１を用いて筐体１の外部に接続される。スピーカ２とコネクタ３との両方は、容器１０に収容される。コネクタ３のプラグポート３０は、接続孔１１を用いて筐体１の外部に接続される。スピーカ２とプラグポート３０との間に接続される導音チャネル４は容器１０に形成され、導音チャネル４は、スピーカ２により放出される音声をプラグポート３０に伝搬するように構成される。
【００４１】
この実装において、オーディオコンポーネント１００は、接続孔１１を用いてコネクタ３と外部との間の接続関係を実装し、接続孔１１を用いてスピーカ２の音声出力も実装する。コネクタ３は、スピーカ２と接続孔１１を共有し、これによりオーディオコンポーネント１００の筐体１に配置される必要のある孔の数が減り、言い換えれば、オーディオコンポーネント１００が適用されるモバイル端末２００のハウジング３００に配置される必要のある孔が減り、外部蒸気、粉塵などがオーディオコンポーネント１００とモバイル端末２００の内部とに入るリスクを減らし、これによりオーディオコンポーネント１００およびモバイル端末２００には故障または損傷が発生しにくくなる。従って、オーディオコンポーネント１００およびモバイル端末２００は、より高い信頼性および比較的長い寿命を有する。加えて、接続孔１１に対応する孔はモバイル端末２００のハウジング３００に配置され、これによりコネクタ３の接続要件とスピーカ２の音声出力要件とが互換性を有し得る。従って、ハウジング３００の外観に追加の孔を設けることが回避され得て、これによりモバイル端末２００の外観が簡潔になる。
【００４２】
スピーカ２とコネクタ３との両方は容器１０に収容されており、言い換えれば、スピーカ２とコネクタ３との両方は筐体１の内部に固定されていることが理解され得る。従って、オーディオコンポーネント１００は統合モジュールに組み立てられ、これによりオーディオコンポーネント１００はモバイル端末２００に迅速に組み立てられることで、モバイル端末２００の組立工程および難易度を減らし得る。
【００４３】
コネクタ３がユニバーサルシリアルバス（Ｕｎｉｖｅｒｓａｌ  Ｓｅｒｉａｌ  Ｂｕｓ，ＵＳＢ）コネクタである場合、プラグポート３０はほぼ滑走路型の長い円孔の形状であり、これによりスピーカ２は比較的大きい音声出力領域を有することで、音声出力品質を保証する。別の実装において、コネクタ３は代替的に他のタイプの電気コネクタであってよい。
【００４４】
一実装において、図３、図５および図６を共に参照すると、コネクタ３はシールド筐体３１を含む。プラグポート３０は、シールド筐体３１内に形成される。貫通孔３１０がシールド筐体３１に配置され、当該貫通孔３１０は、導音チャネル４とプラグポート３０とを接続するように構成される。コネクタ３は更に、絶縁体３２を含む。絶縁体３２は、トング３２１と密封端部３２２とを含み、トング３２１の一端は密封端部３２２に固定的に接続される。密封端部３２２は、シールド筐体３１の第１の端部に固定的に接続され、シールド筐体３１の第１の端部を密封する。密封端部３２２は、外部蒸気および粉塵などがシールド筐体３１の第１の端部からオーディオコンポーネント１００に入ることを防止して、オーディオコンポーネント１００の信頼性を向上させ得る。トング３２１は、プラグポート３０に収容される。接続ピン（図示せず）はトング３２１に配置され、接続ピンは外部コンポーネントに電気的に接続するように構成され、外部コンポーネントとコネクタ３の各々とモバイル端末２００の内部コンポーネントとの間の電気的な接続を実装する。開口が、シールド筐体３１の第２の端部であって第１の端部に対向する第２の端部に配置され、これによりプラグポート３０はシールド筐体３１の外部に接続され得る。
【００４５】
シールド筐体３１は、互いに対向する２つの平板部と、当該２つの平板部間に対応して接続される円弧状の接続部を含む。貫通孔３１０は、平板部のうちの１つに配置される。別の実装において、貫通孔３１０は２つの平板部に代替的に配置され、プラグポート３０と導音チャネル４との間の接続面積を増加させることで、オーディオコンポーネント１００の音声出力品質を改善し得る。
【００４６】
コネクタ３が容器１０に収容されていることは、コネクタ３の構造の大きい部分が容器１０に収容され、コネクタ３の構造の小さい部分（例えば、プラグポート３０を形成するように構成されるシールド筐体３１の一端）は、接続孔１１を通過し、筐体１から部分的に突出することを意味することが理解され得る。勿論、別の実装において、コネクタ３は代替的に、容器１０に完全に収容されてよく、プラグポート３０に向き合うシールド筐体３１の内側壁は、接続孔１１の孔壁１１１と位置合わせし、これによりプラグポート３０は接続孔１１に接続される。接続孔１１とプラグポート３０とを連続的に接合した後、外部コンポーネントはコネクタ３に電気的に接続される。
【００４７】
一実装において、図１、図２、図４および図６を共に参照すると、シールド筐体３１の一端は、接続孔１１から筐体１の外へ突出し、シールド筐体３１の外側壁３１１は、接続孔１１の孔壁１１１と協働する。言い換えれば、シールド筐体３１の一端は接続孔１１に挿入され、シールド筐体３１の一端の一部は筐体１の外部に位置付けられ、シールド筐体３１の他端は容器１０に収容される。この場合、接続孔１１１の孔壁１１はシールド筐体３２を制限する。シールド筐体３１の端部の一部が筐体１の外部に位置付けられているので、外部コンポーネントをプラグポート３０に挿入するのが便利であり、これによりユーザがオーディオコンポーネント１００およびモバイル端末２００を用いる体験を改善する。加えて、図１と図２とに示されるように、筐体１の外へ突出するシールド筐体３１の一部は、モバイル端末２００のハウジング３００の開口３０１と協働し、これによりオーディオコンポーネント１００はハウジング３００に固定され得て、プラグポート３０は開口３０１を用いてハウジング３００の外部に接続され得る。
【００４８】
一実装において、図３、図４および図７を共に参照すると、筐体１は、共に結合される第１の筐体部１２と第２の筐体部１３とを含み、容器１０は第１の筐体部１２と第２の筐体部１３との間に形成される。第２の筐体部１３に向き合う第１の筐体部１２の側は、第１の溝１２０を形成する凹形であり、第１の筐体部１２に向き合う第２の筐体部１３の側は、第２の溝１３０を形成する凹形である。第１の筐体部１２と第２の筐体部１３とが共に結合される場合、第１の溝１２０と第２の溝１３０とは結合され、共同で容器１０を形成する。
【００４９】
第１の筐体部１２および第２の筐体部１３は、結合、ねじ締めまたは折り曲げなどによって接続されてよい。密封要素は（図示せず）、第１の筐体部１２と第２の筐体部１３との間に挟まれ、密封要素は容器１０を密封するように構成される。密封要素はリング形状であり、密封要素の形状は、第１の筐体部１２が第２の筐体部１３に接続される端面の形状に適応する。
【００５０】
筐体１は、容器１０のスピーカ２を密封し、これによりスピーカ２の前方と後方のキャビティが短絡になることが防止され、スピーカ２の性能を十分に発揮し、音声の低周波数と高周波数とを変更し、実際の音声を再現し得る。
【００５１】
第１の筐体部１２と第２の筐体部１３との両方は、プラスチック材料を用いて、オーディオコンポーネント１００の重量を減らす。
【００５２】
接続孔１１の一部は第１の筐体部１２に形成され、他の部分は第２の筐体部１３に形成される。接続孔１１に含まれる部分であって第１の筐体部１２に形成される部分は、接続孔１１に含まれる部分であって、第２の筐体部１３に形成される部分より小さく、これによりシールド筐体３１は第２の筐体部１３に直接位置し、固定され得る。加えて、これは組み立て中にフールプルーフを実装することにも役立つ。
【００５３】
一実装において、図３および図５を共に参照すると、当接突出部１３２は、容器１０に向き合う第２の筐体部１３の内側側面１３１に配置される。スピーカ２は、第１の筐体部１２と当接突出部１３２との間に位置付けられ、導音チャネル４の第１の部分４１であって、スピーカ２と第２の筐体部１３の内側側面１３１との間の第１の部分４１を形成する。当接突出部１３２はスピーカ２に当接するので、スピーカ２と第２の筐体部１３の内側側面１３１との間にはスペースが形成され、これにより導音チャネル４の第１の部分４１が構成され得る。スピーカ２により放出される音声は、導音チャネル４の第１の部分４１に入る。
【００５４】
当接突出部１３２の中間部はくり抜かれている。この場合、当接突出部１３２は環状形状であり、筐体１の重量を減らすことで、オーディオコンポーネント１００およびモバイル端末２００の重量を減らすことに役立つ。
【００５５】
一実装において、図３、図５および図７を共に参照すると、制限突出部１２２は第１の筐体部１２の内側側面１２１に配置され、配置スペース１２３は制限突出部１２２により囲まれ、当接突出部１３２から離れているスピーカ２の端部は配置スペース１２３に位置付けられる。制限突出部１２２はスピーカ２を制限し、これによりスピーカ２は容器１０に固定されることで、振動により発生する損傷のリスクを回避し得る。
【００５６】
支持突出部１２５は、配置スペース１２３に配置される。支持突出部１２５は第１の筐体部１２の内側側面１２１に固定され、支持突出部１２５は容器１０の方向において突出する。振動空間１２６は支持突出部１２５により囲まれ、スピーカ２のダイヤフラム２１は振動空間１２６に正確に向き合う。振動空間１２６は、ダイヤフラム２１のより円滑な振動動作と小さい抵抗との実装に用いられる。一実装において、振動空間１２６の底壁１２６１は、第１の筐体部１２の内側壁１２１に対して凹形であって、振動空間１２６の容量を増加させる。一実装において、支持突出部１２５は、配置スペース１２３に向き合う制限突出部１２２の内壁に接続され、支持突出部１２５と制限突出部１２２との強度を増加させる。
【００５７】
一実装において、図３、図５および図８を共に参照すると、オーディオコンポーネント１００は更に、回路基板５を含む。コネクタ３は、回路基板５に載置される。回路基板５は、モバイル端末２００の主基板であってよい。コネクタ３は、回路基板５を用いてモバイル端末２００のコンポーネントに電気的に接続される。回路基板５は容器１０に収容され、第２の筐体部１３に固定される。回路基板５とスピーカ２とは交互に配置され、導音チャネル４の第２の部分４２であって、回路基板５とスピーカ２との間の第２の部分４２を形成する。導音チャネル４の第２の部分４２は、導音チャネル４の第１の部分４１に接続されている。回路基板５とスピーカ２とは交互に配置され、これによりオーディオコンポーネント１００の組み立ても容易になり、組立工程においてコンポーネントに損傷を与えることを回避する。
【００５８】
複数の接続ポスト１３３が、第２の筐体部１３の内側側面１３１に凸状に配置される。複数の接続孔５１が、回路基板５に配置される。オーディオコンポーネント１００は更に、複数の留め具６を含む。複数の留め具６は、一対一の対応関係にある複数の接続孔５１を通過し、複数の接続ポスト１３３に固定されている。接続孔５１のうち少なくとも２つは、コネクタ３の両側面に配置され、コネクタ３の載置安定性を向上する。留め具６は、ねじ、ボルトまたはリベットなどであってよい。
【００５９】
一実装において、図５を参照すると、第１の筐体部１２の内側側面１２１と回路基板５とは交互に配置され、第１の筐体部１２の内側側面１２１とコネクタ３とは交互に配置され、導音チャネル４の第３の部分４３であって、第１の筐体部１２の内側側面１２１と、回路基板５およびコネクタ３を含む側との間の第３の部分４３を形成する。導音チャネル４の第３の部分４３は、導音チャネル４の第２の部分４２と貫通孔３１０との間に接続される。スピーカ２により放出される音声は、導音チャネル４の第１の部分４１、導音チャネル４の第２の部分４２、導音チャネル４の第３の部分４３、および貫通孔３１０を連続的に通過して、プラグポート３０に入り、音声出力を実装する。
【００６０】
一実装において、図５および図７を共に参照すると、凹形の誘導トラフ１２７は、第１の筐体部１２の内側側面１２１に配置される。誘導トラフ１２７は、導音チャネル４の第３の部分４３に接続される。誘導トラフ１２７は、第１の筐体部１２の一部の領域の厚さを減少させ、導音チャネル４のスペース容量を増加させるように配置され、これによりスピーカにより放出される音声の伝搬品質がより良くなる。
【００６１】
一実装において、図５および図７を共に参照すると、誘導トラフ１２７は導音チャネル４の第２の部分４２と貫通孔３１０との間に接続される。第１の筐体部１２の内側側面１２１における貫通孔３１０の孔壁３１０１の正投影は、誘導トラフ１２７に含まれる。言い換えれば、誘導トラフ１２７は貫通孔３１０をカバーし、これにより誘導トラフ１２７は貫通孔３１０とプラグポート３０とにより良く音波を誘導し得る。
【００６２】
図７に示されるように、ノッチ１２４は導音チャネル４の第２の部分４２に向き合う制限突出部１２２の一方の側に配置され、ノッチ１２４は導音チャネル４のスペース容量を増加させ、これによりスピーカ２により放出される音声の伝搬品質をより良くするように構成されている。ノッチ１２４は、誘導トラフ１２７と導音チャネル４の第３の部分４３とを接続する。
【００６３】
第２態様によると、図１から図８までを共に参照すると、本願は、ハウジング３００と上述のオーディオコンポーネント１００とを含むモバイル端末２００を提供する。ハウジング３００は開口３０１を含み、開口３０１はハウジング３００の内部と外部とを接続する。オーディオコンポーネント１００は、ハウジング３００の内部に載置され、筐体１の接続孔１１は開口３０１と正確に向き合い、プラグポート３０は、開口３０１を用いてモバイル端末２００の外部と接続される。本願のこの実装におけるモバイル端末２００は、通信機能とストレージ機能とを有する任意のデバイス、例えば、タブレットコンピュータ、携帯電話、電子書籍リーダ、遠隔制御装置、パーソナルコンピュータ（Ｐｅｒｓｏｎａｌ  Ｃｏｍｐｕｔｅｒ，ＰＣ）、ノートブックコンピュータ、車載デバイス、ウェブテレビジョンまたはウェアラブルデバイスなどのネットワーク機能を有するインテリジェントデバイスであってよい。
【００６４】
この実装において、接続孔１１は開口３０１と正確に向き合い、プラグポート３０は開口３０１を用いてモバイル端末２００の外部に接続される。従って、モバイル端末２００は、開口３０１を用いてコネクタ３と外部との間の接続関係を実装し得て、開口３０１を用いてスピーカ２の音声出力も実装し得る。コネクタ３は、スピーカ２と開口３０１とを共有し、これによりハウジング３００に配置される必要のある孔の数は減り、外部蒸気、および粉塵などがモバイル端末２００の内部に入るリスクが減り、これによりモバイル端末２００には故障または損傷が発生しにくくなる。従って、モバイル端末２００はより高い信頼性と比較的長い寿命とを有する。加えて、接続孔１１に対応する開口３０１はモバイル端末２００のハウジング３００に配置され、これによりコネクタ３の接続要件とスピーカ２の音声出力要件とが互換性を有し得る。従って、ハウジングの外観３００に追加の孔を設けることが回避され得て、これによりモバイル端末２００の外観が簡潔になる。加えて、ハウジング３００の孔は減り、これによりハウジング３００の処理および製造の費用が減り、既存のスピーカ孔におけるストラクチュラルマテリアル（例えば、粉塵フィルタまたは装飾部品）が省略され得る。従って、モバイル端末２００の全体的な費用が減る。
【００６５】
シールド筐体３１の一部は開口３０１に位置付けられ、開口３０１の壁面はシールド筐体３１の外側壁３１１と協働し、シールド筐体３１を制限し、これにより外部コンポーネントがシールド筐体３１のプラグポート３０に挿入されることで、ユーザによるモバイル端末２００を用いる体験を改善する。
【００６６】
一実装において、図３、図５および図９を共に参照すると、モバイル端末２００は更に、プラグコンポーネント４００を含む。プラグコンポーネント４００はシールドスリーブ４０１を含む。導音孔４０３は、シールドスリーブ４０１に配置される。プラグコンポーネント４００がコネクタ３に電気的に接続される場合、シールドスリーブ４０１の一部はプラグポート３０に挿入され、導音孔４０３はプラグポート３０に接続され、導音孔４０３の少なくとも一部はハウジング３００の外部に位置付けられ、スピーカ２により放出される音声をモバイル端末２００の外部に伝搬する。プラグコンポーネント４００は、コネクタ３に着脱可能に接続される。
【００６７】
この実装において、スピーカ２により放出される音声は、導音チャネル４、接続孔１１、プラグポート３０、および導音孔４０３を連続的に通過し、そしてモバイル端末２００の外部に伝搬され、音声出力を実装する。プラグコンポーネント４００がコネクタ３に差し込まれる場合、モバイル端末２００は充電され得るか、またはデータ送信が実装され得る。従って、プラグコンポーネント４００がプラグポート３０に挿入される場合、充電およびデータ送信などの機能はモバイル端末２００に対して実装され得て、音声出力も導音孔４０３を用いて実装され得る。
【００６８】
プラグコンポーネント４００がコネクタ３に適応される少なくとも１つの成分を含むことが理解され得る。例えば、コネクタ３はユニバーサルシリアルバス（Ｕｎｉｖｅｒｓａｌ  Ｓｅｒｉａｌ  Ｂｕｓ、ＵＳＢ）コネクタの雌型コネクタであり、プラグコンポーネント４００はユニバーサルシリアルバスコネクタ３の雄型コネクタを含む。勿論、別の実装において、コネクタ３は代替的にユニバーサルシリアルバスコネクタ３の雄型コネクタで、プラグコンポーネント４００はユニバーサルシリアルバスコネクタの雌型コネクタを含んでよい。コネクタ３がユニバーサルシリアルバスコネクタ３である場合、プラグポート３０はほぼ滑走路型の長い円孔の形状であり、これによりスピーカ２は比較的大きい音声出力領域を有することで、音声出力品質を保証する。別の実装において、コネクタ３は代替的に他のタイプの電気コネクタであってよい。プラグコンポーネント４００は更に、接続ケーブルを含み、接続ケーブルはプラグコンポーネント４００の一端においてコネクタ（例えば、雄型コネクタ）に接続されてよい。
【００６９】
一実装において、図９に示されるように、プラグインターフェース４０２はシールドスリーブ４０１に形成される。導音孔４０３は、シールドスリーブ４０１の一方の側を貫通する。導音孔４０３は、プラグインターフェース４０２に接続される。シールドスリーブ４０１の一部がプラグポート３０に挿入される場合、プラグインターフェース４０２はプラグポート３０に接続され、導音孔４０３はハウジング３００の外部に位置付けられ、スピーカ２により放出される音声をモバイル端末２００の外部に伝搬する。この実装において、スピーカ２により放出される音声は、導音チャネル４、接続孔１１、プラグポート３０、プラグインターフェース４０２、および導音孔４０３を連続的に通過し、そしてモバイル端末２００の外部に伝搬され、音声出力を実装する。
【００７０】
別の実装において、シールドスリーブ４０１の一部がプラグポート３０に挿入される場合、導音孔４０３の一部は、ハウジング３００の内部に位置付けられ、プラグポート３０に接続され、導音孔４０３の他の部分は、ハウジング３００の外部に位置付けられ、導音孔４０３はプラグポート３０内の音声をモバイル端末２００の外部に直接誘導する。導音孔４０３は、シールドスリーブ４０１の一方の側に配置される溝であり得て、当該溝は細長い形状である。
【００７１】
上述の説明は本願の具体的な実装に過ぎず、本願の保護範囲を限定することを意図するものではない。本願で開示する技術的範囲内で当業者が容易に考え付く変形または置換は何れも、本願の保護範囲に含まれるものとする。従って、本願の保護範囲は特許請求の範囲の保護範囲の対象になるものとする。
【図１】
0006954578.tif 000002
【図２】
0006954578.tif 000003
【図３】
0006954578.tif 000004
【図４】
0006954578.tif 000005
【図５】
0006954578.tif 000006
【図６】
0006954578.tif 000007
【図７】
0006954578.tif 000008
【図８】
0006954578.tif 000009
【図９】
0006954578.tif 000010